(57)【要約】【課題】低電力で点灯させる放電ランプであっても、ランプ特性が悪化するのを抑制することができる放電ランプを提供することである。【解決手段】実施形態に係る放電ランプは、安定点灯時に２２Ｗ（ワット）以上、２８Ｗ（ワット）以下の電力で点灯させる放電ランプである。放電ランプは、少なくともスカンジウムのハロゲン化物を含む金属ハロゲン化物が封入された放電空間を内部に有する発光部と；前記放電空間の内部に突出し、所定の距離を置いて対向配置させた一対の電極と；を具備している。    前記発光部の内容積をＶ（μｌ）、前記金属ハロゲン化物に含まれる前記スカンジウムのハロゲン化物の重量をＭ（ｍｇ）とした場合に、    ６８（μｌ／ｍｇ）≦Ｖ／Ｍ（μｌ／ｍｇ）≦１４４（μｌ／ｍｇ）  となっている。【選択図】図１
2017098009.tif 000002
【特許請求の範囲】
【請求項１】
安定点灯時に２２Ｗ（ワット）以上、２８Ｗ（ワット）以下の電力で点灯させる放電ランプであって、
少なくともスカンジウムのハロゲン化物を含む金属ハロゲン化物が封入された放電空間を内部に有する発光部と；
前記放電空間の内部に突出し、所定の距離を置いて対向配置させた一対の電極と；
を具備し、
前記発光部の内容積をＶ（μｌ）、前記金属ハロゲン化物に含まれる前記スカンジウムのハロゲン化物の重量をＭ（ｍｇ）とした場合に、
６８（μｌ／ｍｇ）≦Ｖ／Ｍ（μｌ／ｍｇ）≦１４４（μｌ／ｍｇ）
となる放電ランプ。
【請求項２】
０．１９（ｍｇ）≦Ｍ（ｍｇ）≦０．３４（ｍｇ）である請求項１記載の放電ランプ。
【請求項３】
２３（μｌ）≦Ｖ（μｌ）≦２８（μｌ）である請求項１または２に記載の放電ランプ。
【発明の詳細な説明】
【技術分野】
【０００１】
本発明の実施形態は、放電ランプに関する。
【背景技術】
【０００２】
金属ハロゲン化物が封入された放電空間を内部に有する発光部と、放電空間の内部に突出し、所定の距離を置いて対向配置させた一対の電極とを備えた放電ランプがある。  
この様な放電ランプは、安定点灯時に３５Ｗ（ワット）程度の電力で点灯させる。  
そして、安定点灯時に３５Ｗ（ワット）程度の電力で点灯させる放電ランプにおいて、発光部の内部寸法（放電空間の寸法）を小さくすることで、明るさを明るくする技術が提案されている。
【０００３】
ここで、近年においては、省電力化の要求から、安定点灯時に２８Ｗ（ワット）以下（例えば、２５Ｗ（ワット））の電力で点灯させる放電ランプが求められている。  
この様な低電力で点灯させる放電ランプは、３５Ｗ（ワット）程度の電力で点灯させる放電ランプに比べて明るさが暗くなるという問題がある。低電力で点灯させる放電ランプの場合も、発光部の内部寸法（放電空間の寸法）を小さくすれば、明るさを明るくすることができる。
【０００４】
ところが、低電力で点灯させる放電ランプの場合には、発光部の内部寸法（放電空間の寸法）を小さくすると、金属ハロゲン化物と発光部の内壁との化学反応が促進されて、ランプ特性（例えば、明るさ、発光色、ランプ電圧など）が悪化するという新たな問題が生じる。  
そのため、低電力で点灯させる放電ランプであっても、ランプ特性が悪化するのを抑制することができる放電ランプの開発が望まれていた。
【先行技術文献】
【特許文献】
【０００５】
【特許文献１】特開２００７−１７２９５９号公報
【発明の概要】
【発明が解決しようとする課題】
【０００６】
本発明が解決しようとする課題は、低電力で点灯させる放電ランプであっても、ランプ特性が悪化するのを抑制することができる放電ランプを提供することである。
【課題を解決するための手段】
【０００７】
実施形態に係る放電ランプは、安定点灯時に２２Ｗ（ワット）以上、２８Ｗ（ワット）以下の電力で点灯させる放電ランプである。放電ランプは、少なくともスカンジウムのハロゲン化物を含む金属ハロゲン化物が封入された放電空間を内部に有する発光部と；前記放電空間の内部に突出し、所定の距離を置いて対向配置させた一対の電極と；を具備している。  
前記発光部の内容積をＶ（μｌ）、前記金属ハロゲン化物に含まれる前記スカンジウムのハロゲン化物の重量をＭ（ｍｇ）とした場合に、  
６８（μｌ／ｍｇ）≦Ｖ／Ｍ（μｌ／ｍｇ）≦１４４（μｌ／ｍｇ）  
となっている。
【発明の効果】
【０００８】
本発明の実施形態によれば、低電力で点灯させる放電ランプであっても、ランプ特性が悪化するのを抑制することができる放電ランプを提供することができる。
【図面の簡単な説明】
【０００９】
【図１】本実施の形態に係る放電ランプ１００を例示するための模式図である。
【発明を実施するための形態】
【００１０】
実施形態に係る発明は、安定点灯時に２２Ｗ（ワット）以上、２８Ｗ（ワット）以下の電力で点灯させる放電ランプである。放電ランプは、少なくともスカンジウムのハロゲン化物を含む金属ハロゲン化物が封入された放電空間を内部に有する発光部と；前記放電空間の内部に突出し、所定の距離を置いて対向配置させた一対の電極と；を具備している。  前記発光部の内容積をＶ（μｌ）、前記金属ハロゲン化物に含まれる前記スカンジウムのハロゲン化物の重量をＭ（ｍｇ）とした場合に、  
６８（μｌ／ｍｇ）≦Ｖ／Ｍ（μｌ／ｍｇ）≦１４４（μｌ／ｍｇ）  
となっている。  
この放電ランプによれば、低電力で点灯させる放電ランプであっても、ランプ特性が悪化するのを抑制することができる。
【００１１】
この場合、０．１９（ｍｇ）≦Ｍ（ｍｇ）≦０．３４（ｍｇ）とすることができる。  
この様にすれば、ランプ特性が悪化するのをさらに確実に抑制することができる。
【００１２】
また、２３（μｌ）≦Ｖ（μｌ）≦２８（μｌ）とすることができる。  
この様にすれば、ランプ特性が悪化するのをさらに確実に抑制することができる。
【００１３】
以下、図面を参照しつつ、実施の形態について例示をする。  
本発明の実施形態に係る放電ランプは、例えば、自動車の前照灯に用いられるＨＩＤ（High Intensity Discharge）ランプとすることができる。また、放電ランプが自動車の前照灯に用いられるＨＩＤランプである場合には、いわゆる水平点灯を行うものとすることができる。
【００１４】
本発明の実施形態に係る放電ランプの用途は、自動車の前照灯に限定されるわけではないが、ここでは一例として、放電ランプが自動車の前照灯に用いられるＨＩＤランプである場合を例に挙げて説明する。
【００１５】
図１は、本実施の形態に係る放電ランプ１００を例示するための模式図である。  
なお、図１においては、放電ランプ１００を自動車に取り付けた場合に、前方となる方向を前端側、後方となる方向を後端側、上方となる方向を上端側、下方となる方向を下端側としている。
【００１６】
図１に示すように、放電ランプ１００には、バーナー１０１およびソケット１０２が設けられている。  
バーナー１０１には、外管５、内管１、電極マウント３、サポートワイヤ３５、スリーブ４、および金属バンド７１が設けられている。
【００１７】
外管５は、内管１の外側に内管１と同芯に設けられている。すなわち、バーナー１０１は、外管５と内管１とによる二重管構造を有している。外管５は、内管１の円筒部１４付近に接合（溶着）されている。  
内管１と外管５との間に形成された閉空間には、ガスが封入されている。封入されるガスは、誘電体バリア放電が可能なガスとすることができる。封入されるガスは、例えば、ネオン、アルゴン、キセノン、窒素から選択された一種のガス、またはこれらの混合ガスとすることができる。ガスの封入圧力は、例えば、常温（２５℃）で０．３ａｔｍ以下とすることができる。なお、ガスの封入圧力は、常温（２５℃）で０．１ａｔｍ以下とすることがより好ましい。
【００１８】
外管５は、内管１の材料の熱膨張係数に近い熱膨張係数を有し、且つ、紫外線遮断性を有する材料から形成することが好ましい。外管５は、例えば、チタン、セリウム、アルミニウム等の酸化物が添加された石英ガラスから形成することができる。
【００１９】
内管１は、発光部１１、封止部１２、境界部１３、および円筒部１４を有する。発光部１１、封止部１２、境界部１３、および円筒部１４は、一体に形成することができる。  
内管１（発光部１１、封止部１２、境界部１３、および円筒部１４）は、透光性と耐熱性を有する材料から形成されている。内管１は、例えば、石英ガラスなどから形成することができる。
【００２０】
発光部１１は、ほぼ楕円体状の外形形状を有している。発光部１１は、内管１の中央付近に設けられている。内管１の軸方向における発光部１１の寸法（球体長）は、例えば、８ｍｍ程度とすることができる。内管１の軸方向に直交する方向における発光部１１の寸法は、例えば、５ｍｍ程度とすることができる。
【００２１】
発光部１１の内部には、放電空間１１１が設けられている。放電空間１１１の中央部分は、ほぼ円柱状を呈している。放電空間１１１の両端部分は、ほぼ円錐状を呈している。
【００２２】
放電空間１１１には、放電媒体が封入されている。放電媒体は、金属ハロゲン化物２と、不活性ガスとを含む。  
金属ハロゲン化物２は、例えば、スカンジウムのハロゲン化物、インジウムのハロゲン化物、ナトリウムのハロゲン化物、亜鉛のハロゲン化物などを含むものとすることができる。なお、金属ハロゲン化物２は、少なくともスカンジウムのハロゲン化物を含んでいればよい。  
ハロゲンとしては、例えば、ヨウ素を例示することができる。ただし、ヨウ素の代わりに臭素や塩素などを用いることもできる。  
また、環境保護の観点から、放電媒体には水銀を含めないようにすることができる。  
放電空間１１１に封入される不活性ガスは、例えば、キセノンとすることができる。また、キセノンの他に、ネオン、アルゴン、クリプトンなどを用いたり、これらを組み合わせた混合ガスを用いることもできる。不活性ガスの封入圧力は、目的に応じて変更することができる。例えば、全光束を増加させる場合には、封入圧力は、常温（２５℃）で１０ａｔｍ以上、２０ａｔｍ以下にすることが好ましい。
【００２３】
封止部１２は、板状を呈し、発光部１１の両端部のそれぞれに接合されている。封止部１２は、例えば、ピンチシール法を用いて形成することができる。なお、封止部１２は、シュリンクシール法により形成され、円柱状を呈したものであってもよい。一方の封止部１２には、境界部１３を介して円筒部１４が接合されている。
【００２４】
境界部１３および円筒部１４は、封止部１２の、発光部１１側とは反対側の端部に接合されている。
【００２５】
電極マウント３は、封止部１２の内部に設けられている。  
電極マウント３は、金属箔３１、電極３２、コイル３３、およびリード線３４を有する。
【００２６】
金属箔３１は、封止部１２の内部に設けられている。金属箔３１は、電極３２の、放電空間１１１側とは反対側の端部の近傍に接合されている。  
金属箔３１は、薄板状を呈し、例えば、モリブデン、レニウムモリブテン、タングステン、レニウムタングステンなどから形成することができる。
【００２７】
電極３２は、線状を呈している。電極３２の断面形状は、例えば、円形とすることができる。  
ここで、安定点灯時に２２Ｗ（ワット）以上、２８Ｗ（ワット）以下の電力で放電ランプ１００を点灯させると、ちらつきが生じ易くなる。本発明者の得た知見によれば、電極３２の太さ寸法を小さくして電流密度を高めれば、ちらつきの発生を抑制することができる。そのため、放電ランプ１００においては、電極３２の太さ寸法（断面形状が円形の場合には直径寸法）を、０．２０ｍｍ以上、０．３３ｍｍ以下としている。
【００２８】
なお、電極３２の太さ寸法は、電極３２が延びる方向において一定でなくてもよい。例えば、電極３２の太さ寸法は、先端部側が基端部側よりも大きくなっていてもよい。また、電極３２の先端部が球形となっていてもよい。また、直流点灯タイプのように、一方の電極の太さ寸法と、他方の電極の太さ寸法が異なるものであってもよい。
【００２９】
電極３２は、例えば、純タングステン、ドープタングステン、レニウムタングステンなどから形成することができる。なお、電極３２は、トリウムを含有していてもよいし、トリウムを含有していなくてもよい。
【００３０】
電極３２の一方の端部は、放電空間１１１内に突出している。すなわち、電極３２の一端は放電空間１１１の内部に設けられ、他端は封止部１２の内部に設けられている。一対の電極３２は、所定の距離を置いて互いに対向するように設けられている。一対の電極３２の先端同士の間の距離（電極間距離）は、例えば、３．４ｍｍ以上、４．４ｍｍ以下とすることができる。電極３２の他方の端部は、金属箔３１の、発光部１１側の端部近傍に接合されている。電極３２と金属箔３１の接合は、例えば、レーザ溶接により行うことができる。
【００３１】
コイル３３は、封止部１２にクラックが発生するのを抑制するために設けられている。  コイル３３は、例えば、ドープタングステンからなる金属線から形成することができる。コイル３３は、封止部１２の内部に設けられている。コイル３３は、電極３２の外側に巻きつけられている。例えば、コイル３３の線径は３０μｍ〜１００μｍ程度、コイルピッチは６００％以下とすることができる。
【００３２】
リード線３４は、線状を呈している。リード線３４の断面形状は、例えば、円形とすることができる。リード線３４は、例えば、モリブデンなどから形成することができる。リード線３４の一方の端部側は、金属箔３１の、発光部１１側とは反対側の端部近傍に接合されている。リード線３４と金属箔３１の接合は、レーザ溶接により行うことができる。リード線３４の他方の端部側は、内管１の外部にまで延びている。
【００３３】
サポートワイヤ３５は、Ｌ字状を呈し、放電ランプ１００の前端側から出ているリード線３４の端部に接合されている。サポートワイヤ３５とリード線３４との接合は、レーザ溶接により行うことができる。サポートワイヤ３５は、例えば、ニッケルから形成することができる。
【００３４】
スリーブ４は、サポートワイヤ３５の、内管１と平行に延びる部分を覆っている。スリーブ４は、例えば、円筒状を呈している。スリーブ４は、例えば、セラミックスから形成することができる。
【００３５】
金属バンド７１は、外管５の後端側の端部近傍に固定されている。
【００３６】
ソケット１０２は、本体部６、取り付け金具７２、底部端子８１、および側部端子８２を有する。  
本体部６は、樹脂などの絶縁性材料から形成されている。本体部６の内部には、リード線３４の後端側、サポートワイヤ３５の後端側、およびスリーブ４の後端側が設けられている。
【００３７】
取り付け金具７２は、本体部６の端部に設けられている。取り付け金具７２は、本体部６の前端側に設けられている。取り付け金具７２は、本体部６から突出している。取り付け金具７２は、金属バンド７１を保持する。取り付け金具７２により金属バンド７１を保持することで、バーナー１０１がソケット１０２に保持される。
【００３８】
底部端子８１は、本体部６の内部に設けられている。底部端子８１は、本体部６の後端側に設けられている。底部端子８１は、導電性材料から形成されている。底部端子８１は、リード線３４と電気的に接続されている。
【００３９】
側部端子８２は、本体部６の側壁に設けられている。側部端子８２は、本体部６の後端側に設けられている。側部端子８２は、導電性材料から形成されている。側部端子８２は、サポートワイヤ３５と電気的に接続されている。
【００４０】
底部端子８１と側部端子８２は、図示しない点灯回路と電気的に接続される。この場合、底部端子８１は、点灯回路の高圧側と電気的に接続される。側部端子８２は、点灯回路の低圧側と電気的に接続される。
【００４１】
放電ランプ１００が自動車の前照灯に用いられるものである場合には、放電ランプ１００は、中心軸（管軸）がほぼ水平の状態で、且つ、サポートワイヤ３５がほぼ下端側（下方）に位置するように取り付けられる。なお、この様な方向に取り付けられた放電ランプ１００を点灯することは、水平点灯と称される。
【００４２】
また、本実施の形態に係る放電ランプ１００は、低電力仕様の放電ランプである。  
そのため、点灯回路は、安定点灯時に２２Ｗ（ワット）以上、２８Ｗ（ワット）以下の電力で放電ランプ１００を点灯させる。
【００４３】
ここで、放電ランプ１００に供給される電力が小さくなると、光束の低下や発光効率の低下が生じる。そのため、放電ランプ１００に供給される電力が小さくなると、明るさが暗くなる。この場合、発光部１１の内部寸法（放電空間１１１の寸法）を小さくすれば、明るさが暗くなるのを抑制することができる。
【００４４】
このことは、以下のように説明することができる。つまり、発光部１１の内部寸法を小さくすれば、発光部１１の外形寸法も小さくなる。発光部１１の外形寸法が小さくなれば、発光部１１からの放熱量を少なくすることができる。発光部１１からの放熱量が少なくなれば、発光部１１の内部温度（放電空間１１１の温度）が高くなり、金属ハロゲン化物２の蒸気圧が高くなる。
【００４５】
金属ハロゲン化物２の蒸気圧が高くなれば、電極３２から放出された電子と、金属ハロゲン化物２の分子とが衝突する割合が増える。電子と金属ハロゲン化物２の分子とが衝突する割合が増えると、全光束が増加し、発光効率も高くなる。  
そのため、放電ランプ１００に供給される電力が小さい場合であっても、発光部１１の内部寸法を小さくすれば、明るさが暗くなるのを抑制することができる。
【００４６】
ところが、低電力で点灯させる放電ランプ１００の場合には、発光部１１の内部寸法（放電空間１１１の寸法）を小さくすると、金属ハロゲン化物２と発光部１１の内壁１１ａとの化学反応が促進されて、ランプ特性が悪化するという新たな問題が生じる。    
本発明者の得た知見によれば、金属ハロゲン化物２と発光部１１の内壁１１ａとの化学反応が促進される原因は以下のように説明することができる。
【００４７】
低電力で点灯させる放電ランプ１００は、点灯させにくい。そのため、始動時に放電ランプ１００に印加する電力が大きくなる。例えば、安定点灯時に２２Ｗ（ワット）以上、２８Ｗ（ワット）以下の電力で点灯させる放電ランプ１００の場合には、始動時に印加する電力は５５Ｗ（ワット）程度となる。そのため、始動時における発光部１１の内部温度（放電空間１１１の温度）の上昇が速くなる。また、前述したように、発光部１１の内部寸法を小さくすれば、発光部１１の内部温度（放電空間１１１の温度）は高くなる。  
発光部１１の内部温度（放電空間１１１の温度）が高くなれば、金属ハロゲン化物２と発光部１１の内壁１１ａとの化学反応が促進される。
【００４８】
金属ハロゲン化物２と発光部１１の内壁１１ａとの化学反応が促進されると、発光部１１の内壁１１ａが曇り、明るさが暗くなる。また、金属ハロゲン化物２に含まれる特定の成分と発光部１１の内壁１１ａとの化学反応が促進されると、金属ハロゲン化物２の組成が変化する。金属ハロゲン化物２の組成が変化すると、発光色が変化してしまうことになる。また、金属ハロゲン化物２の組成が変化すると、安定点灯時の電圧（ランプ電圧）が変化し、点灯回路に設けられた安全装置が誤作動するおそれがある。すなわち、金属ハロゲン化物２と発光部１１の内壁１１ａとの化学反応が促進されると、明るさ、発光色、ランプ電圧などのランプ特性が悪化するおそれがある。
【００４９】
ここで、前述したように、金属ハロゲン化物２には、スカンジウムのハロゲン化物、インジウムのハロゲン化物、ナトリウムのハロゲン化物、亜鉛のハロゲン化物などが含まれている。  
本発明者の得た知見によれば、主に、スカンジウムのハロゲン化物と、発光部１１に含まれる石英ガラスとが化学反応し、インジウムのハロゲン化物、ナトリウムのハロゲン化物、および、亜鉛のハロゲン化物などと、発光部１１に含まれる石英ガラスとはあまり化学反応しないことが判明した。
【００５０】
本発明者は検討の結果、金属ハロゲン化物２に含まれるスカンジウムのハロゲン化物の重量Ｍに対する発光部１１の内容積（放電空間１１１の体積）Ｖの比（Ｖ／Ｍ）、金属ハロゲン化物２に含まれるスカンジウムのハロゲン化物の重量Ｍ、および、発光部１１の内容積Ｖ、を所定の範囲内にすれば、低電力で点灯させる放電ランプであっても、ランプ特性が悪化するのを抑制することができるとの知見を得た。
【００５１】
表１および表２は、発光部１１の内容積Ｖ、金属ハロゲン化物２に含まれるスカンジウムのハロゲン化物の重量Ｍ、および、金属ハロゲン化物２に含まれるスカンジウムのハロゲン化物の重量Ｍに対する発光部１１の内容積Ｖの比（Ｖ／Ｍ）と、内壁１１ａとの化学反応およびランプ電圧の変化と、の関係を例示するための表である。
【００５２】
【表１】
2017098009.tif 000003
【００５３】
【表２】
2017098009.tif 000004
【００５４】
なお、発光部１１の内容積Ｖは、発光部１１のＸ線写真を撮影し、撮影されたＸ線写真における放電空間１１１の寸法から計算することができる。また、水中において発光部１１を切断し、発光部１１から排出された気体の量を測定することで発光部１１の内容積Ｖを求めることもできる。
【００５５】
内壁１１ａとの化学反応の評価においては、発光部１１の内壁１１ａが曇り、明るさが実用上問題となる程度に暗くなった場合を「×」とし、明るさが実用上問題ない場合を「○」とし、明るさが実用上問題なく更に高い場合を「◎」とした。  
ランプ電圧（安定点灯時の電圧）の変化の評価においては、点灯回路に設けられた安全装置が誤作動するほど変化した場合を「×」とし、安全装置が誤作動しなかった場合を「○」とし、安全装置が誤動作せずにランプ電圧の変化が更に低い場合を「◎」とした。
総合判定においては、内壁１１ａとの化学反応およびランプ電圧の変化がともに「◎」の場合は「◎」とし、内壁１１ａとの化学反応またはランプ電圧の一方が「○」で他方が「◎」の場合は「○」とし、内壁１１ａとの化学反応およびランプ電圧の変化の少なくともいずれかが「×」の場合は「×」とした。
【００５６】
また、安定点灯時の印加電圧は２５Ｗ（ワット）程度、始動時の印加電圧は５５Ｗ（ワット）程度とした。  
発光部１１の材料は、石英ガラスとした。  
放電空間１１１の中央部分の直径寸法ｄは、２．２ｍｍ以上、２．５ｍｍ以下とした。
【００５７】
表１および表２から分かるように、発光部１１の内容積をＶ（μｌ：マイクロリットル）、金属ハロゲン化物２に含まれるスカンジウムのハロゲン化物の重量をＭ（ｍｇ）とした場合に、６８（μｌ／ｍｇ）≦Ｖ／Ｍ（μｌ／ｍｇ）≦１４４（μｌ／ｍｇ）、特に好ましくは８８（μｌ／ｍｇ）≦Ｖ／Ｍ（μｌ／ｍｇ）≦１２７（μｌ／ｍｇ）とすれば、安定点灯時に２２Ｗ（ワット）以上、２８Ｗ（ワット）以下の電力で点灯させる放電ランプ１００であっても、ランプ特性が悪化するのを抑制することができる。
【００５８】
この場合、表１および表２から分かるように、０．１９（ｍｇ）≦Ｍ（ｍｇ）≦０．３４（ｍｇ）とすることが好ましい。
【００５９】
また、表１および表２から分かるように、２３（μｌ）≦Ｖ（μｌ）≦２８（μｌ）とすることが好ましい。
【００６０】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６１】
１  内管、２  金属ハロゲン化物、５  外管、１１  発光部、１１ａ  内壁、１２  封止部、３２  電極、１００  放電ランプ、１０１  バーナー、１０２  ソケット、１１１  放電空間
【図１】
2017098009.tif 000005